(57)【特許請求の範囲】
【請求項１】
空調設備で空調された空調空気が１日２４時間のうちの所定時間帯に供給され、前記所定時間帯以外では供給されない施設の内部に設けられ、展示物を展示する展示装置であって、
前記展示物を収容する収容部と、
前記空調空気を取り入れ可能であり、前記空調空気の温度を蓄熱する蓄熱部と、
前記収容部と前記蓄熱部との間に設けられて前記収容部と前記蓄熱部を区画するとともに、前記蓄熱部の温度を前記収容部に伝達する熱伝達部と、
を備え、
前記蓄熱部として、前記収容部の上部に設けられた上部蓄熱部と、前記収容部の下部に設けられた下部蓄熱部とを備える
ことを特徴とする展示装置。
【請求項２】
請求項１に記載の展示装置であって、
冷房時には、前記上部蓄熱部に前記空調空気としての冷気を取り込み、
暖房時には、前記下部蓄熱部に前記空調空気としての暖気を取り込むことを特徴とする展示装置。
【請求項３】
請求項１または請求項２に記載の展示装置であって、
前記蓄熱部は、前記熱伝達部に取り付け可能の潜熱蓄熱材を備える
ことを特徴とする展示装置。
【請求項４】
請求項１乃至請求項３のいずれか１項に記載の展示装置であって、
鑑賞面ではない面に断熱材を設けた
ことを特徴とする展示装置。
【請求項５】
請求項４に記載の展示装置であって、
前記断熱材が設けられた面は、前記施設の外壁と対向している
ことを特徴とする展示装置。
【請求項６】
請求項４又は請求項５に記載の展示装置であって、
前記断熱材が設けられていない面に、前記空調空気の取込口と排出口が設けられていることを特徴とする展示装置。
【請求項７】
請求項１乃至請求項６のいずれか１項に記載の展示装置に、前記展示物を収容して展示する展示方法。
【発明の詳細な説明】
【技術分野】
【０００１】
本発明は、展示装置、及び、展示方法に関する。
【背景技術】
【０００２】
美術館や博物館などの施設では、施設の内部（例えば展示室）に展示装置（例えば展示ケース）を設け、展示物を展示装置に収容した状態で展示している。
【０００３】
また、通常、このような施設には、空調設備が設けられており、展示室には空調設備で空調された空気（空調空気）が供給されている（例えば、特許文献１参照）。これにより、展示室の温度や湿度が調整されている。
【先行技術文献】
【特許文献】
【０００４】
【特許文献１】特開２００３−２９４２７４号公報
【発明の概要】
【発明が解決しようとする課題】
【０００５】
しかしながら、近年、節電などのため１日（２４時間）のうちの所定時間帯に空調設備を稼働し、それ以外の時間帯には空調設備の稼働を止めるようにする場合がある。この場合、空調設備の稼働を止めている間、空調空気が供給されなくなるので、展示物の保管環境が悪化するおそれがあった。
【０００６】
本発明は、上記のような課題に鑑みてなされたものであって、その目的は、展示物の保管環境の改善を図ることにある。
【課題を解決するための手段】
【０００７】
かかる目的を達成するため、
本発明の展示装置は、
空調設備で空調された空調空気が１日２４時間のうちの所定時間帯に供給され、前記所定時間帯以外では供給されない施設の内部に設けられ、展示物を展示する展示装置であって、
前記展示物を収容する収容部と、
前記空調空気を取り入れ可能であり、前記空調空気の温度を蓄熱する蓄熱部と、
前記収容部と前記蓄熱部との間に設けられて前記収容部と前記蓄熱部を区画するとともに、前記蓄熱部の温度を前記収容部に伝達する熱伝達部と、
を備え、
前記蓄熱部として、前記収容部の上部に設けられた上部蓄熱部と、前記収容部の下部に設けられた下部蓄熱部とを備えることを特徴とする。
このような展示装置によれば、展示物の保管環境の改善を図ることができる。
また、冷房時には、前記上部蓄熱部に前記空調空気としての冷気を取り込み、暖房時には、前記下部蓄熱部に前記空調空気としての暖気を取り込むことが好ましい。
【０００８】
かかる展示装置であって、前記蓄熱部は、前記熱伝達部に取り付け可能の潜熱蓄熱材を備えることが望ましい。
このような展示装置によれば、収容部の温度をより確実に調整することができる。
【００１３】
かかる展示装置であって、鑑賞面ではない面に断熱材を設けることが望ましい。
このような展示装置によれば、断熱性能を高めることができる。
【００１４】
かかる展示装置であって、前記断熱材が設けられた面は、前記施設の外壁と対向していてもよい。
このような展示装置によれば、施設の外部の温度変化の影響を受けにくくすることができる。
【００１５】
かかる展示装置であって、前記断熱材が設けられていない面に、前記空調空気の取込口と排出口が設けられていることが望ましい。
このような展示装置によれば、断熱性能の低下を抑制することができる。
【００１６】
また、かかる目的を達成するため、本発明の展示方法は、上記に記載の展示装置に、前記展示物を収容して展示することを特徴とする。
【発明の効果】
【００１７】
本発明によれば、展示物の保管環境の改善を図ることができる。
【図面の簡単な説明】
【００１８】
【図１】本実施形態の展示ケース１０の配置を説明するための概略平面図である。
【図２】本実施形態の展示ケース１０の斜視図である。
【図３】図３Ａは、断熱壁部１１の構成の一例を示す図である。図３Ｂは、断熱壁部１１の構成の別の例を示す図である。
【図４】展示ケース１０の変形例を示す平面図である。
【図５】展示ケース１０の別の変形例を示す平面図である。
【発明を実施するための形態】
【００１９】
＝＝＝実施形態＝＝＝
＜＜展示ケースの構成について＞＞
図１は、本実施形態の展示ケース１０の配置を説明するための概略平面図であり、図２は本実施形態の展示ケース１０の斜視図である。
【００２０】
以下では、図に示すように各方向を設定する。すなわち、水平面における直交する２方向を前後方向及び左右方向とする。このうち、展示ケース１０の正面と背面を結ぶ方向を前後方向とし、展示ケース１０の背面から見て正面側を「前」、その逆側を「後」とする。また、左右方向において、後側から前側を見たときの右側を「右」、左側を「左」とする。また、前後方向及び左右方向と直交する方向を上下方向（鉛直方向）とし、天井側を「上」、その逆側（床側）を「下」とする。
【００２１】
図１に示す外壁１は、美術館や博物館などの施設における壁であり、室内と室外との境にある壁である。つまり、外壁１の前側は室内（施設の内部：ここでは展示室）であり、外壁１の後側は室外（施設の外部）である。
【００２２】
本実施形態の展示ケース１０（展示装置に相当）は、外壁１の手前（展示室内）に設けられている。展示ケース１０は、上記施設において、美術品や印刷物などの展示物を鑑賞可能に展示するためのケースである。また、上記施設には、不図示の空調設備が完備されている。
【００２３】
本実施形態において空調設備は、１日２４時間のうちの所定時間帯（例えば、施設の開館時間）に稼働している。これにより、空調設備で空調された空気（以下、空調空気という）が展示室に供給され、温度が適切になるように調整されている。一方、それ以外の時間帯では、節電などのため空調設備の稼働を停止させている。しかし、このように空調設備の稼働を停止すると、展示室に空調空気が供給されなくなり、展示品の保管環境が悪化するおそれがある。そこで、本実施形態の展示ケース１０では、後述するように、展示物の保管環境の改善を図っている。
【００２４】
図２に示すように、展示ケース１０は、断熱壁部１１、収容部１２、上部蓄熱部１３、上部熱伝達部１４、載置板１５、通気用隙間１６、調湿剤ケース１７、下部熱伝達部１８、及び、下部蓄熱部１９を備えている。
【００２５】
断熱壁部１１は、展示ケース１０のうち外壁１と対向する面（本実施形態では展示ケース１０の後面）に設けられた板状の壁部材である。断熱壁部１１は、断熱性能を有しており、外部環境（温度変化など）による影響を外壁１から受けにくい部材である。なお、展示ケース１０の前面、右側面、左側面は、透明な素材（例えばガラス）で形成されている。これにより、前面、右側面、左側面が鑑賞面となり、展示物が鑑賞可能になっている。
【００２６】
図３Ａは、断熱壁部１１の構成の一例を示す図である。断熱壁部１１は外側（外壁１側）から順に、ＬＧＳ２、断熱材３、プラスターボード４、防湿シート５、合板６、接着剤７、クロス８を積層して構成されている。
【００２７】
ＬＧＳ２は、軽量鉄骨（鋼製）の下地材である。断熱材３は、断熱性能を有する部材である。断熱材３の詳細については後述する。ブラスターボード（石膏ボードともいう）４は、石膏を材料にした板状のパネルである。防湿シート５は、湿気や水蒸気の透過を防いで結露を防止するシートであり、ポリエチレンなどが用いられる。合板６は、薄く切った単板を重ねて熱圧接着した木質ボードである。クロス８は、内装仕上げ材であり、接着剤７によって合板６の表面に貼りつけられている。
【００２８】
このように、断熱材３が設けられているため、断熱壁部１１は、外壁１から外部環境による影響を受けにくい。なお、本実施形態では、断熱材３として、真空断熱材を用いている。真空断熱材とは、多孔質構造の芯材を外被材で被覆した後、外被材内部を減圧して密封封止した断熱材である。真空断熱材は、熱伝導が限りなくゼロに近く、断熱性能が高い。また、真空断熱材は、他の断熱材と比べて、薄くて軽量化が可能である。よって、断熱材３として真空断熱材を用いることで断熱性能を高めることができるとともに、断熱壁部１１の厚さを薄くでき、収容部１２の空間を広くすることができる。また、展示ケース１０の軽量化を図ることができる。
【００２９】
図３Ｂは、断熱壁部１１の構成の別の例を示す図である。図３Ａと同一構成の部分には同一符号を付している。この例では、断熱材３は、プラスターボード４と防湿シート５の間に設けられている。この場合においても、外部環境（温度変化など）の影響を受けにくくすることができる。なお、断熱壁部１１は、図３Ａ、図３Ｂには限られず、他の構成であってもよい。但し、本実施形態のように防湿シート５を設ける場合、断熱材３は、防湿シート５よりも外側に配置することが望ましい。
【００３０】
収容部１２は、展示物を収容する部位である。収容部１２には、展示物を収容するための空間が形成されている。そして、その空間の下部（すなわち収容部１２の下部）を形成する載置板１５に展示物が載置される。
【００３１】
上部蓄熱部１３は、収容部１２の上部に設けられている。上部蓄熱部１３は、冷房時に空調空気（冷気）を取り入れて蓄熱する部位である。上部蓄熱部１３には、取込口１３１、排出口１３２、及び、潜熱蓄熱材１３３が設けられている。
【００３２】
取込口１３１は、上部蓄熱部１３に空気を取り込む部位である。本実施形態では、取込口１３１は、上部蓄熱部１３の左側面に設けられている。取込口１３１には空気を取り込むためのファン１３１ａが設けられており、当該ファン１３１ａは、冷房時に駆動するように制御されている。そして、取込口１３１は、冷房時にファン１３１ａが駆動することにより上部蓄熱部１３に空調空気（冷気）を取り込む。
【００３３】
排出口１３２は、上部蓄熱部１３に取り込まれた空気を排出する部位である。本実施形態では、排出口１３２は、上部蓄熱部１３の右側面に設けられている。
【００３４】
潜熱蓄熱材（相変化蓄熱材ともいう）１３３は、上部蓄熱部１３内において、上部熱伝達部１４に取り付け可能に設けられている。この潜熱蓄熱材１３３は、上部蓄熱部１３に取り込まれた空気の温度を蓄熱する蓄熱材であり、物質が固相と液相との間で相変化する際の潜熱を利用した蓄熱材である。すなわち、固相の潜熱蓄熱材１３３の温度が上昇して融点に達すると、潜熱蓄熱材１３３は融解して融解熱を外部から吸収する。一方、液相の潜熱蓄熱材１３３の温度が低下して凝固点に達すると、潜熱蓄熱材１３３は凝固して凝固熱を外部に放出する。なお、一般に、融点と凝固点は同じであり、以下では、この点（温度）のことを相変化点ともいう。潜熱蓄熱材１３３は冷房用であり、本実施形態では相変化点が２８℃に設定されている。
【００３５】
上部熱伝達部１４は、熱伝導率の高い部材であり、収容部１２と上部蓄熱部１３との間に設けられている。そして、上部熱伝達部１４は、収容部１２と上部蓄熱部１３を区画するとともに、上部蓄熱部１３の温度を収容部１２に伝達する。
【００３６】
通気用隙間１６は、載置板１５の後側に設けられた隙間であり、収容部１２と調湿剤ケース１７とを連通している。これにより収容部１２と調湿剤ケース１７とが通気可能となっている。
【００３７】
調湿剤ケース１７は、調湿剤２０を配置する部位であり、載置板１５と下部熱伝達部１８との間に設けられている。なお、調湿剤２０は、最適な湿気を確保するためのものであり、例えば、シリカゲル（二酸化ケイ素）などが用いられる。図２において、調湿剤ケース１７には調湿剤２０が２つ配置されているが、調湿剤２０は１つでもよいし、３つ以上であってもよい。また、例えば、展示物が湿気に影響を受けないものである場合、調湿剤２０及び調湿剤ケース１７は無くてもよい。
【００３８】
下部熱伝達部１８は、熱伝導率の高い部材であり、収容部１２と下部蓄熱部１９との間（より具体的には、調湿剤ケース１７と下部蓄熱部１９との間）に設けられている。そして、上部熱伝達部１４は、収容部１２と下部蓄熱部１９を区画するとともに、調湿剤ケース１７及び通気用隙間１６を介して、下部蓄熱部１９の温度を収容部１２に伝達する。
【００３９】
下部蓄熱部１９は、収容部１２の下部（より具体的には下部熱伝達部１８の下部）に設けられている。下部蓄熱部１９は、暖房時に空調空気（暖気）を取り入れて蓄熱する部位である。下部蓄熱部１９には、取込口１９１、排出口１９２、及び、潜熱蓄熱材１９３が設けられている。
【００４０】
取込口１９１は、下部蓄熱部１９に空気を取り込む部位である。本実施形態では、取込口１９１は、下部蓄熱部１９の左側面に設けられている。取込口１９１には空気を取り込むためのファン１９１ａが設けられており、当該ファン１９１ａは、暖房時に駆動するように制御されている。そして、取込口１９１は、暖房時にファン１９１ａが駆動することにより下部蓄熱部１９に空調空気（暖気）を取り込む。
【００４１】
排出口１９２は、下部蓄熱部１９に取り込まれた空気を排出する部位である。本実施形態では、排出口１９２は、下部蓄熱部１９の右側面に設けられている。
【００４２】
潜熱蓄熱材１９３は、下部蓄熱部１９内において下部熱伝達部１８に取り付け可能に設けられている。この潜熱蓄熱材１９３は、潜熱蓄熱材１３３と同様に、下部蓄熱部１９に取り込まれた空気の温度を蓄熱する部材である。但し、潜熱蓄熱材１９３は暖房用であり、本実施形態では相変化点が２０℃に設定されている。
【００４３】
＜＜展示方法について＞＞
まず、図１のように施設の内部（ここでは展示室）に展示ケース１０を配置し、展示ケース１０の収容部１２に展示物を収容する。収容部１２では、調湿剤２０によって最適な湿度が確保されている。また、夏期や冬期では、施設が開館している時間帯（１日２４時間のうちの所定時間帯）に空調設備を稼働させ、展示室に空調空気を供給する。これにより、展示室の温度が適温に調整される。一方、それ以外の時間帯では、空調設備の稼働を停止させる。展示室には空調空気が供給されなくなるが、本実施形態の展示ケース１０では、後述するように展示物の保管環境の改善を図ることができる。
【００４４】
＜冷房時＞
夏期などにおいて冷房を使用する際、空調設備（冷房）の稼働と連動して取込口１３１のファン１３１ａが駆動する。これにより、取込口１３１から上部蓄熱部１３に空調空気（冷気）が取り込まれる。この冷気によって、上部蓄熱部１３の温度が潜熱蓄熱材１３３の相変化点（本実施形態では２８℃）よりも低くなり、潜熱蓄熱材１３３は固相になる。
【００４５】
空調設備の稼働を止めると、空調空気（冷気）が供給されなくなるため、室内の温度は上昇する。温度が潜熱蓄熱材１３３の相変化点（２８℃）に達すると、潜熱蓄熱材１３３は次第に固相から液相になる。そして、潜熱蓄熱材１３３は、固相から液相に相変化している間に、融解熱を周囲から吸収する（換言すると、冷熱を放出する）。この冷熱（温度）は、上部熱伝達部１４を介して収容部１２に伝達される。また、展示装置１０には、外壁１と対向する面に断熱壁部１１が設けられているので、施設の外部の温度変化の影響を受けにくい。これにより、収容部１２の温度の上昇を抑制することができ、展示物の保管環境の改善を図ることができる。
【００４６】
＜暖房時＞
冬期などにおいて暖房を使用する際、空調設備（暖房）の稼働と連動して取込口１９１のファン１９１ａが駆動する。これにより、下部蓄熱部１９から下部蓄熱部１９に空調空気（暖気）が取り込まれる。この暖気によって、下部蓄熱部１９の温度が潜熱蓄熱材１９３の相変化点（本実施形態では２０℃）よりも高くなり、潜熱蓄熱材１９３は液相になる。
【００４７】
空調設備の稼働を止めると、空調空気（暖気）が供給されなくなるため、室内の温度は低下する。温度が潜熱蓄熱材１９３の相変化点（２０℃）に達すると、潜熱蓄熱材１９３は次第に液相から固相になる。そして、潜熱蓄熱材１９３は、液相から固相に相変化している間に、凝固熱を周囲に放出する。この凝固熱（温度）は、下部熱伝達部１８及び調湿剤ケース１７を介して収容部１２に伝達される。また、展示装置１０には、外壁１と対向する面に断熱壁部１１が設けられているので、施設の外部の温度変化の影響を受けにくい。これにより、収容部１２の温度の低下を抑制することができ、展示物の保存環境の悪化を抑制できる。
【００４８】
なお、本実施形態では、上部蓄熱部１３に潜熱蓄熱材１３３を設け、下部蓄熱部１９に潜熱蓄熱材１９３を設けていたが、潜熱蓄熱材１３３及び潜熱蓄熱材１９３は無くてもよい。この場合においても、上部蓄熱部１３及び下部蓄熱部１９の内部空間に、空調設備の稼働時の空調空気を収容して蓄熱することで、空調設備が停止したときにその熱（温度）を収容部１２に伝達させることができる。また、潜熱蓄熱材１３３を上部蓄熱部１３から取り外し、別の場所で相変化させた後、再度取り付けるようにしてもよい。同様に、潜熱蓄熱材１９３を下部蓄熱部１９から取り外し、別の場所で相変化させた後、再度取り付けるようにしてもよい。
【００４９】
また、本実施形態では、上部蓄熱部１３を冷房用にし、下部蓄熱部１９を暖房用にしていたが、逆でもよい。つまり、上部蓄熱部１３を暖房用にし、下部蓄熱部１９を冷房用にしてもよい。但し、暖気は上昇し、冷気は下降するため、本実施形態の方が熱（温度）の伝達効率がよい。つまり、収容部１２の温度の上昇や低下を効率的に抑制することができる。
【００５０】
また、潜熱蓄熱材１３３と潜熱蓄熱材１９３の相変化点がほぼ同じになるように設定して、上部蓄熱部１３と下部蓄熱部１９を、共に冷房用、又は、共に暖房用としてもよい。
【００５１】
また、上部蓄熱部１３及び下部蓄熱部１９の何れか一方だけを設けるようにしてもよい。この場合、その蓄熱部を冷房用又は暖房用として用いてもよいし、冷房用と暖房用の両方に用いてもよい。
【００５２】
＜＜変形例＞＞
図４は、展示ケース１０の変形例を示す平面図である。また、図５は、展示ケース１０の別の変形例を示す平面図である。
【００５３】
図４では、展示ケース１０の後側と右側に外壁１が位置している。この場合、展示ケース１０のうち、外壁１と対向する面（すなわち、後面と右側面）に断熱壁部１１を設けるようにすることが望ましい。これにより、施設の外部の温度変化の影響を受けにくくすることができる。また、断熱壁部１１（断熱材３）を設けていない左側面と前面が鑑賞面となっており、ここでは、そのうちの一方（ここでは左側面）に取込口１３１（１９１）を設け、他方（前面）に排出口１３２（１９２）を設けている。
【００５４】
図５では、展示ケース１０の後側と右側と左側に外壁１が位置している。この場合においても、展示ケース１０のうち、外壁１と対向する面（すなわち、後面、右側面、左側面）に断熱壁部１１を設けることが望ましい。これにより、施設の外部の温度変化の影響を受けにくくすることができる。また、この場合、前面のみが鑑賞面となっており、当該前面に取込口１３１（１９１）及び排出口１３２（１９２）を設けている。
【００５５】
これらの場合においても、収容部１２の温度の上昇や低下を抑制することができ、展示物の保管環境の改善を図ることができる。なお、取込口と排出口の配置は上述したものには限られず、断熱壁部１１以外の面に設けていればよい。例えば、図５において、取込口１３１と排出口１３２を、上部蓄熱部１３の前面に上下に並ぶように設けてもよい。
【００５６】
このように断熱壁部１１（真空断熱材）が設けられていない面に、空調空気の取込口１３１（１９１）と排出口１３２（１９２）を設けることで、断熱性能の低下を抑制することができる。
【００５７】
以上説明したように、本実施形態の展示ケース１０は、空調設備で空調された空調空気が１日２４時間のうちの所定時間帯に供給され、それ以外の時間帯では供給されない施設の展示室に設けられ、展示物を展示する装置である。また、展示ケース１０は、展示物を収容する収容部１２と、冷気を取り入れ可能であり、冷気の温度を蓄熱する上部蓄熱部１３と、収容部１２と上部蓄熱部１３とを区画するとともに、上部蓄熱部１３の温度を収容部１２に伝達する上部熱伝達部１４を備えている。さらに、展示ケース１０は、暖気を取り入れ可能であり、暖気の温度を蓄熱する下部蓄熱部１９と、収容部１２と下部蓄熱部１９とを区画するとともに、下部蓄熱部１９の温度を収容部１２に伝達する下部熱伝達部１８を備えている。これにより、空調空気が供給されない時間帯においても、上部蓄熱部１３又は下部蓄熱部１９に蓄熱された温度が収容部１２に伝達されるので展示物の保管環境の改善を図ることができる。
【００５８】
＝＝＝その他の実施形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５９】
前述の実施形態では、展示ケース１０（断熱壁部１１）は外壁１から離れて設置されていたが、展示ケース１０（断熱壁部１１）が外壁１と接していてもよい。また、例えば、図１において展示ケース１０の側面（左側面あるいは右側面）が、施設の内壁（屋内を間仕切る壁）と対向し、来館者が見ない面（鑑賞面ではない面）となっている場合、当該面に断熱材３（真空断熱材）を設けるようにしてもよい。また、展示ケース１０の上面（天井側の面）や下面（床側の面）にも断熱材３（真空断熱材）を設けるようにしてもよい。こうすることにより、断熱性能をより高めることができる。
【符号の説明】
【００６０】
１  外壁
２  ＬＧＳ（軽量鋼製下地材）
３  断熱材
４  プラスターボード
５  防湿シート
６  合板
７  接着剤
８  クロス
１０  展示ケース（展示装置）
１１  断熱壁部
１２  収容部
１３  上部蓄熱部
１４  上部熱伝達部
１５  載置板
１６  通気用隙間
１７  調湿剤ケース
１８  下部熱伝達部
１９  下部蓄熱部
２０  調湿剤
１３１  取込口
１３１ａ  ファン
１３２  排出口
１３３  潜熱蓄熱材
１９１  取込口
１９１ａ  ファン
１９２  排出口
１９３  潜熱蓄熱材
【図１】
0006657809.tif 000002
【図２】
0006657809.tif 000003
【図３】
0006657809.tif 000004
【図４】
0006657809.tif 000005
【図５】
0006657809.tif 000006